(57)【要約】【課題】冷媒の種類に応じた異常の対処をユーザに促すことを可能にしつつ、用いられている冷媒の種類をユーザに意識させやすい空気調和装置のコントローラを提供する。【解決手段】第１系統リモコンメモリ３２は、冷媒系統Ａの空気調和装置で用いられている冷媒の種類がR32であるか否かを記憶している。第１系統リモコン通信部３３は、空気調和装置において冷媒の漏洩が生じたことを示す異常情報を受信する。第１系統リモコンCPU３１は、異常情報を受信した場合に、第１系統リモコンメモリ３２に記憶された冷媒の種類がR32であるときとそうではないときとで、第１系統リモコン表示部３４における表示態様を異ならせる。【選択図】図９
2015197279.tif 000002
【特許請求の範囲】
【請求項１】
空気調和装置に用いられるコントローラ（３０、６０）であって、
前記空気調和装置で用いられている冷媒の種類が第１冷媒であるか否かを記憶している冷媒種記憶部（３２、６２）と、
前記空気調和装置において冷媒の状態に関する異常が生じたことを示す異常情報を受信する異常受信部（３３、６３）と、
表示部（３４、６４）と、
前記異常受信部が前記異常情報を受信した場合に、前記冷媒種記憶部に記憶された冷媒の種類が前記第１冷媒であるときと前記第１冷媒ではないときとで、前記表示部における表示態様を異ならせる表示制御部（３１、６１）と、
を備えたコントローラ。
【請求項２】
前記冷媒種記憶部に記憶された冷媒の種類が前記第１冷媒である場合には、前記表示制御部は、前記第１冷媒に対応して予め定められた所定の作業をユーザに促すための表示を前記表示部に行わせる、
請求項１に記載のコントローラ。
【請求項３】
前記表示制御部は、前記異常受信部が前記異常情報を受信した場合であって前記冷媒種記憶部に記憶された冷媒の種類が前記第１冷媒である場合には、冷媒が前記第１冷媒であるか否かを問い合わせる表示を前記表示部に行わせ、
冷媒が前記第１冷媒であるか否かを示すユーザからの入力を受け付ける受付部（３５、６５）をさらに備えた、
請求項１または２に記載のコントローラ。
【請求項４】
前記冷媒種記憶部に記憶された冷媒の種類が前記第１冷媒である場合には、冷媒が前記第１冷媒ではないことを示すユーザからの前記受付部への入力を受け付けない、
請求項３に記載のコントローラ。
【請求項５】
用いられている冷媒の種類を示す情報を前記空気調和装置から受信する冷媒種受信部（３３、６３）と、
冷媒が前記第１冷媒であるか否かを示すユーザからの入力を受け付ける受付部（３５、６５）と、
をさらに備え、
前記冷媒種記憶部は、前記冷媒種受信部が受信した情報に基づいて前記空気調和装置で用いられている冷媒の種類が前記第１冷媒であることが把握された場合に前記空気調和装置で用いられている冷媒の種類が前記第１冷媒であることを記憶し、
前記冷媒種記憶部において冷媒の種類が前記第１冷媒であることが記憶されていない場合には、前記表示制御部は、前記異常受信部が前記異常情報を受信した場合に、冷媒が前記第１冷媒であるか否かを問い合わせる表示を前記表示部に行わせ、
前記表示制御部は、前記受付部においてユーザから受け付けた冷媒種に応じて、前記表示部における表示態様を異ならせる、
請求項２に記載のコントローラ。
【請求項６】
前記異常受信部が受信する前記異常情報には、冷媒の漏洩に関する異常が含まれ、
前記異常受信部が冷媒の漏洩に関する異常情報を受信した場合に系内の冷媒を所定の場所に集める冷媒回収運転を前記空気調和装置が自動的に行う場合において、前記表示制御部は、前記冷媒回収運転中であることを示す表示を前記表示部に行わせる、
請求項１から５のいずれか１項に記載のコントローラ。
【発明の詳細な説明】
【技術分野】
【０００１】
本発明は、空気調和装置に用いられるコントローラに関する。
【背景技術】
【０００２】
従来より、空気調和装置等の冷凍装置の制御や状態の表示のため等に用いられるコントローラがある。
【０００３】
例えば、特許文献１（特開２００５−２３３５３８号公報）に記載の空気調和機のコントローラでは、部品の故障等が生じた場合に、予め設定されているエラーコードをディスプレイの表示エリアに表示させることが提案されている。
【発明の開示】
【発明が解決しようとする課題】
【０００４】
しかし、上述のような特許文献１に示されたコントローラでは、空気調和機の部品の故障等が生じた場合に異常を表示する程度であり、用いられている冷媒の種類はなんら考慮されていない。
【０００５】
このため、例えば、冷媒の種類が異なる点を除けば同じような状況として検出される異常状況であっても、用いられている冷媒の種類によっては異常時に対処すべき具体的な作業が異なる場合がある。
【０００６】
ところが、従来のコントローラでは、用いられている冷媒の種類についてなんら考慮されていないため、異常時に対処すべき具体的な作業が異なる場合であっても、同じエラーコードを表示するだけに留まっている。
【０００７】
さらに、このような冷媒の種類を考慮することなく行われるエラーコードの表示では、用いられている冷媒の種類をユーザに意識させることが難しい。
【０００８】
本発明は上述した点に鑑みてなされたものであり、本発明の課題は、冷媒の種類に応じた異常の対処をユーザに促すことを可能にしつつ、用いられている冷媒の種類をユーザに意識させやすい空気調和装置のコントローラを提供することにある。
【課題を解決するための手段】
【０００９】
第１観点に係るコントローラは、空気調和装置に用いられるコントローラであって、冷媒種記憶部と、異常検知部と、表示部と、表示制御部とを備えている。冷媒種記憶部は、空気調和装置で用いられている冷媒の種類が第１冷媒であるか否かを記憶している。異常受信部は、空気調和装置において冷媒の状態に関する異常が生じたことを示す異常情報を受信する。表示制御部は、異常受信部が異常情報を受信した場合に、冷媒種記憶部に記憶された冷媒の種類が第１冷媒であるときと第１冷媒ではないときとで、表示部における表示態様を異ならせる。
【００１０】
なお、ここで、「冷媒の状態に関する異常」としては、特に限定されるものではなく、例えば、空気調和装置において効率良く運転を行うために必要な冷媒の量が不足しているという異常や、空気調和装置における冷媒の高圧圧力が所定の値よりも低いもしくは高い等の異常が含まれる。
【００１１】
このコントローラでは、冷媒の状態に関する異常が生じた場合に、表示制御部が行う表示部における表示が冷媒の種類に応じた表示となっているため、冷媒の種類に応じた異常の対処をユーザに促すことが可能になる。また、冷媒の状態に関する異常が生じた場合において、冷媒の種類が第１冷媒であった場合には、第１冷媒ではない場合と表示態様が異なるため、ユーザに第１冷媒を意識させやすい。
【００１２】
第２観点に係るコントローラは、第１観点に係るコントローラであって、冷媒種記憶部に記憶された冷媒の種類が第１冷媒である場合には、表示制御部は、第１冷媒に対応して予め定められた所定の作業をユーザに促すための表示を表示部に行わせる。
【００１３】
このコントローラでは、冷媒の種類に特有の異常対処方法をユーザに把握させることが可能になり、サービスエンジニア等が現地に到着するのを待つまでもなく、ユーザでも対応可能な作業をいち早く行わせることが可能になる。
【００１４】
第３観点に係るコントローラは、第１観点または第２観点に係るコントローラであって、受付部をさらに備えている。表示制御部は、異常受信部が異常情報を受信した場合であって冷媒種記憶部に記憶された冷媒の種類が第１冷媒である場合には、冷媒が第１冷媒であるか否かを問い合わせる表示を表示部に行わせる。受付部は、冷媒が第１冷媒であるか否かを示すユーザからの入力を受け付ける。
【００１５】
このコントローラでは、第１冷媒であることをコントローラ自体が把握している場合であってもユーザに確認や入力動作を行わせることで第１冷媒が用いられていることをユーザにより強く意識させることが可能になる。
【００１６】
第４観点に係るコントローラは、第３観点に係るコントローラであって、冷媒種記憶部に記憶された冷媒の種類が第１冷媒である場合には、冷媒が第１冷媒ではないことを示すユーザからの受付部への入力を受け付けない。
【００１７】
このコントローラでは、ユーザからの誤った入力を受付けないことにより、第１冷媒が用いられていることをユーザにより認識させることが可能になる。
【００１８】
第５観点に係るコントローラは、第２観点に係るコントローラであって、冷媒種受信部と受付部をさらに備えている。冷媒種受信部は、用いられている冷媒の種類を示す情報を空気調和装置から受信する。受付部は、冷媒が第１冷媒であるか否かを示すユーザからの入力を受け付ける。冷媒種記憶部は、冷媒種受信部が受信した情報に基づいて空気調和装置で用いられている冷媒の種類が第１冷媒であることが把握された場合に空気調和装置で用いられている冷媒の種類が第１冷媒であることを記憶する。冷媒種記憶部において冷媒の種類が第１冷媒であることが記憶されていない場合には、表示制御部は、異常受信部が異常情報を受信した場合に、冷媒が第１冷媒であるか否かを問い合わせる表示を表示部に行わせる。表示制御部は、受付部においてユーザから受け付けた冷媒種に応じて、表示部における表示態様を異ならせる。
【００１９】
このコントローラでは、第１冷媒が用いられていることを冷媒種記憶部における記憶から把握できない場合であっても、ユーザからの入力に応じて第１冷媒が用いられていることを把握することが可能になり、迅速な異常時の対応処置をユーザに促すことが可能になる。
【００２０】
第６観点に係るコントローラは、第１観点から第５観点のいずれかに係るコントローラであって、異常受信部が受信する異常情報には、冷媒の漏洩に関する異常が含まれる。異常受信部が冷媒の漏洩に関する異常情報を受信した場合に系内の冷媒を所定の場所に集める冷媒回収運転を空気調和装置が自動的に行う場合において、表示制御部は、冷媒回収運転中であることを示す表示を表示部に行わせる。
【００２１】
このコントローラでは、冷媒漏洩が生じているにも関わらず空気調和装置が運転を係属している状態について、ユーザが感じる不安感を低減させることができる。
【発明の効果】
【００２２】
第１観点に係るコントローラは、冷媒の種類に応じた異常の対処をユーザに促すことが可能になるとともに、用いられている冷媒の種類をユーザに意識させやすくすることが可能になる。
【００２３】
第２観点に係るコントローラは、冷媒の種類に特有の異常対処方法をユーザに把握させつつユーザでも対応可能な作業をいち早く行わせることが可能になる。
【００２４】
第３観点に係るコントローラは、第１冷媒が用いられていることをユーザにより強く意識させることが可能になる。
【００２５】
第４観点に係るコントローラは、第１冷媒が用いられていることをユーザにより認識させることが可能になる。
【００２６】
第５観点に係るコントローラは、第１冷媒が用いられていることを冷媒種記憶部における記憶から把握できない場合であっても、迅速な異常時の対応処置をユーザに促すことが可能になる。
【００２７】
第６観点に係るコントローラは、冷媒漏洩が生じているにも関わらず空気調和装置が運転を係属している状態について、ユーザが感じる不安感を低減させることができる。
【図面の簡単な説明】
【００２８】
【図１】第１冷媒系統と第２冷媒系統を備えた空調システムの概略構成図である。
【図２】第１冷媒系統の冷媒回路図である。
【図３】第２冷媒系統の冷媒回路図である。
【図４】第１冷媒系統のブロック構成図である。
【図５】第２冷媒系統のブロック構成図である。
【図６】第１系統リモコンの概略構成図である。
【図７】第２系統リモコンの概略構成図である。
【図８】冷媒系統毎の機種コードおよび冷媒種の対応を示す図である。
【図９】冷媒漏洩時の処理フローチャートである。
【図１０】R32漏洩時の問合せ時の表示出力を示す図である。
【図１１】R32漏洩時の所定の作業および連絡先の表示出力を示す図である。
【図１２】R410A漏洩時の連絡先の表示出力を示す図である。
【発明を実施するための形態】
【００２９】
以下、本発明のコントローラが採用された空調システムについて、図面に基づいて説明する。
【００３０】
（１）全体概略構成
図１に、空調システム１００の概略構成図を示す。また、図２に第１冷媒系統の冷媒回路図を、図３に第２冷媒系統の冷媒回路図をそれぞれ示す。さらに、また、図４に第１冷媒系統のブロック構成図を、図５に第２冷媒系統のブロック構成図をそれぞれ示す。
【００３１】
本実施形態の空調システム１００は、第１冷媒系統Ａと第２冷媒系統Ｂの２つの冷媒系統を備えている。すなわち、第１冷媒系統Ａでは、ある種類の冷媒が循環しており、第２冷媒系統Ｂでは、同じもしくは異なる種類の冷媒が循環している。第１冷媒系統Ａと第２冷媒系統Ｂとは、互いに独立しており、第１冷媒系統Ａを循環する冷媒と第２冷媒系統Ｂを循環する冷媒とは混ざり合うことはない。
【００３２】
第１冷媒系統Ａの空気調和装置を管理・制御するために、第１系統リモコン３０が設けられている。
【００３３】
第２冷媒系統Ｂの空気調和装置を管理・制御するために、第２系統リモコン６０が設けられている。
【００３４】
（１−１）冷媒系統Ａ
冷媒系統Ａは、第１系統室外ユニット１０および第１系統室内ユニット２０を有して構成される空気調和装置に対応している。
【００３５】
第１系統室外ユニット１０は、圧縮機１１、室外熱交換器１３、室外膨張弁１５、室外ファン１４、四路切換弁１２を有している。本実施形態において、第１系統室外ユニット１０の機種コードは「００１」であり、冷媒種としてR32（第１冷媒）が用いられている。
【００３６】
第１系統室内ユニット２０は、本実施形態では、第１系統第１室内ユニット２１、第１系統第２室内ユニット２２、第１系統第３室内ユニット２３、および、第１系統第４室内ユニット２４の４つのユニットを有している。第１系統第１室内ユニット２１は室内熱交換器２１ａと室内ファン２１ｂを、第１系統第２室内ユニット２２は室内熱交換器２２ａと室内ファン２２ｂを、第１系統第３室内ユニット２３は室内熱交換器２３ａと室内ファン２３ｂを、第１系統第４室内ユニット２４は室内熱交換器２４ａと室内ファン２４ｂを、それぞれ有している。
【００３７】
上記圧縮機１１、室外熱交換器１３、室外膨張弁１５、四路切換弁１２、室内熱交換器２１ａ〜２４ａは、互いに接続されることでR32が内部を循環する冷媒回路１０ｘを構成している。このうち室内熱交換器２１ａ〜２４ａは、互いに並列になるように接続されている。
【００３８】
冷媒回路１０ｘは、圧縮機１１の吐出側に室外熱交換器１３が接続された冷房運転状態と、圧縮機１１の吐出側に室内熱交換器２１ａ〜２４ａが接続された暖房運転状態とを、四路切換弁１２の接続状態を切り換えることによって切り換える。
【００３９】
第１系統室外ユニット１０は、図４に示すように、圧縮機１１、室外膨張弁１５、室外ファン１４、四路切換弁１２の制御等を行うための第１系統室外ＣＰＵ１０ａと、制御のための各種データや機種コードの情報が格納されている第１系統室外メモリ１０ｂと、他の機器との通信を行うための第１系統室外通信部１０ｃと、を有している。
【００４０】
第１系統第１室内ユニット２１は、図４に示すように、室内ファン２１ｂの制御等を行うための第１系統第１室内ＣＰＵ２１ｃと、制御のための各種データが格納されている第１系統第１室内メモリ２１ｄと、他の機器との通信を行うための第１系統第１室内通信部２１ｅと、を有している。第１系統第２室内ユニット２２は、同様に、第１系統第２室内ＣＰＵ２２ｃと、第１系統第２室内メモリ２２ｄと、第１系統第２室内通信部２２ｅと、を有している。第１系統第３室内ユニット２３は、同様に、第１系統第３室内ＣＰＵ２３ｃと、第１系統第３室内メモリ２３ｄと、第１系統第３室内通信部２３ｅと、を有している。第１系統第４室内ユニット２４は、同様に、第１系統第４室内ＣＰＵ２４ｃと、第１系統第４室内メモリ２４ｄと、第１系統第４室内通信部２４ｅと、を有している。
【００４１】
また、第１系統室外ユニット１０には、冷媒系統Ａにおける冷媒の漏洩が生じたことを検知する第１系統漏洩検知センサ１０ｄが設けられている。
【００４２】
（１−２）冷媒系統Ｂ
冷媒系統Ｂは、第２系統室外ユニット４０および第２系統室内ユニット５０を有して構成される空気調和装置に対応している。
【００４３】
第２系統室外ユニット４０は、圧縮機４１、室外熱交換器４３、室外膨張弁４５、室外ファン４４、四路切換弁４２を有している。本実施形態において、第２系統室外ユニット４０の機種コードは「００２」であり、冷媒種としてR410Aが用いられている。
【００４４】
第２系統室内ユニット５０は、本実施形態では、第２系統第１室内ユニット５１および第２系統第２室内ユニット５２の２つのユニットを有している。第２系統第１室内ユニット５１は室内熱交換器５１ａと室内ファン５１ｂを、第２系統第２室内ユニット５２は室内熱交換器５２ａと室内ファン５２ｂを、それぞれ有している。
【００４５】
上記圧縮機４１、室外熱交換器４３、室外膨張弁４５、四路切換弁４２、室内熱交換器５１ａ、５２ａは、互いに接続されることでR410Aが内部を循環する冷媒回路４０ｘを構成している。このうち室内熱交換器５１ａ、５２ａは、互いに並列になるように接続されている。
【００４６】
冷媒回路４０ｘは、圧縮機４１の吐出側に室外熱交換器４３が接続された冷房運転状態と、圧縮機４１の吐出側に室内熱交換器５１ａ、５２ａが接続された暖房運転状態とを、四路切換弁４２の接続状態を切り換えることによって切り換える。
【００４７】
第２系統室外ユニット４０は、図５に示すように、圧縮機４１、室外膨張弁４５、室外ファン４４、四路切換弁４２の制御等を行うための第２系統室外ＣＰＵ４０ａと、制御のための各種データや機種コードの情報が格納されている第２系統室外メモリ４０ｂと、他の機器との通信を行うための第２系統室外通信部４０ｃと、を有している。
【００４８】
第２系統第１室内ユニット５１は、図５に示すように、室内ファン５１ｂの制御等を行うための第２系統第１室内ＣＰＵ５１ｃと、制御のための各種データが格納されている第２系統第１室内メモリ５１ｄと、他の機器との通信を行うための第２系統第１室内通信部５１ｅと、を有している。第２系統第２室内ユニット５２は、同様に、第２系統第２室内ＣＰＵ５２ｃと、第２系統第２室内メモリ５２ｄと、第２系統第２室内通信部５２ｅと、を有している。
【００４９】
また、第２系統室外ユニット４０には、冷媒系統Ｂにおける冷媒の漏洩が生じたことを検知する第２系統漏洩検知センサ４０ｄが設けられている。
【００５０】
（１−３）第１系統リモコン３０
第１系統リモコン３０は、冷媒系統Ａに対応しており第１系統室外ユニット１０および第１系統室内ユニット２０を有して構成される空気調和装置の管理・制御を行うコントローラである。
【００５１】
第１系統リモコン３０は、図４に示すように、冷媒系統Ａの空気調和装置の各種情報を表示処理したり受け付けた入力情報を冷媒系統Ａの空気調和装置に伝えるための情報処理を行う第１系統リモコンＣＰＵ３１と、第１系統リモコンメモリ３２と、他の機器との通信を行うための第１系統リモコン通信部３３と、第１系統リモコンＣＰＵ３１によって情報を出力するためのディスプレイとしての第１系統リモコン表示部３４と、を有している。第１系統リモコンメモリ３２には、R32冷媒が漏洩した際に表示させる冷媒種問合せ画面データと、R32冷媒が漏洩した際に所定の作業をユーザに促す表示である画面データと、R410A冷媒が漏洩した際に表示させる画面データと、機種コードと対応付けられた冷媒種を示す情報と、が格納されている。
【００５２】
この第１系統リモコン３０は、図６の外観概略構成図に示すように、略方形のパネル上において、上方部分に第１系統リモコン表示部３４が位置しており、下方部分にユーザからの各種入力を受け付ける操作ボタン３５が設けられている。
【００５３】
操作ボタン３５は、メニュー確定ボタン３５ａ、カーソルキー３５ｂ、運転切換ボタン３５ｃ、風量／風向ボタン３５ｄ、運転／停止ボタン３５ｅ、キャンセルボタン３５ｆを有して構成されている。操作ボタン３５がユーザによって操作されると、第１系統リモコン３０の第１系統リモコンＣＰＵ３１が各所情報処理を行い、処理の結果を第１系統リモコン表示部３４に表示させることが可能になっている。
【００５４】
（１−４）第２系統リモコン６０
第２系統リモコン６０は、第１系統リモコン３０と同様であり、冷媒系統Ｂに対応しており第２系統室外ユニット４０および第２系統室内ユニット５０を有して構成される空気調和装置の管理・制御を行うコントローラである。
【００５５】
第２系統リモコン６０は、図５に示すように、冷媒系統Ｂの空気調和装置の各種情報を表示処理したり受け付けた入力情報を冷媒系統Ｂの空気調和装置に伝えるための情報処理を行う第２系統リモコンＣＰＵ６１と、第２系統リモコンメモリ６２と、他の機器との通信を行うための第２系統リモコン通信部６３と、第２系統リモコンＣＰＵ６１によって情報を出力するためのディスプレイとしての第２系統リモコン表示部６４と、を有している。第２系統リモコンメモリ６２には、第１系統リモコンメモリ３２と同様に、R32冷媒が漏洩した際に表示させる冷媒種問合せ画面データと、R32冷媒が漏洩した際に所定の作業をユーザに促す表示である画面データと、R410A冷媒が漏洩した際に表示させる画面データと、機種コードと対応付けられた冷媒種を示す情報と、が格納されている。
【００５６】
この第２系統リモコン６０は、第１系統リモコン３０と同様であり、図７の外観概略構成図に示すように、略方形のパネル上において、上方部分に第２系統リモコン表示部６４が位置しており、下方部分にユーザからの各種入力を受け付ける操作ボタン６５が設けられている。
【００５７】
操作ボタン６５は、メニュー確定ボタン６５ａ、カーソルキー６５ｂ、運転切換ボタン６５ｃ、風量／風向ボタン６５ｄ、運転／停止ボタン６５ｅ、キャンセルボタン６５ｆを有して構成されている。操作ボタン６５がユーザによって操作されると、第２系統リモコン６０の第２系統リモコンＣＰＵ６１が各所情報処理を行い、処理の結果を第２系統リモコン表示部６４に表示させることが可能になっている。
【００５８】
（２）冷媒系統毎の冷媒種の把握
冷媒系統Ａの空気調和装置に接続されている第１系統リモコン３０は、冷媒系統Ａの空気調和装置の第１系統室外ユニット１０の第１系統室外メモリ１０ｂに格納されている機種コード（本実施形態では「００１」）の情報を、第１系統室外通信部１０ｃおよび第１系統リモコン通信部３３を介して通信によって取得する。
【００５９】
このようにして取得した機種コードの情報は、第１系統リモコンメモリ３２に格納されている機種コードと対応付けられた冷媒種を示す情報と共に第１系統リモコンＣＰＵ３１によって情報処理が行われ、取得した機種コードに対応する冷媒種を特定する。そして、第１系統リモコンＣＰＵ３１は、このようにして得られた機種コードと冷媒種の情報を第１系統リモコンメモリ３２に格納させる。
【００６０】
冷媒系統Ｂの空気調和装置に接続されている第２系統リモコン６０も同様に、冷媒系統Ｂの空気調和装置の第２系統室外ユニット４０の第２系統室外メモリ４０ｂに格納されている機種コード（本実施形態では「００２」）の情報を、第２系統室外通信部４０ｃおよび第２系統リモコン通信部６３を介して通信によって取得する。
【００６１】
このようにして取得した機種コードの情報は、第２系統リモコンメモリ６２に格納されている機種コードと対応付けられた冷媒種を示す情報と共に第２系統リモコンＣＰＵ６１によって情報処理が行われ、取得した機種コードに対応する冷媒種を特定する。そして、第２系統リモコンＣＰＵ６１は、このようにして得られた機種コードと冷媒種の情報を第２系統リモコンメモリ６２に格納させる。
【００６２】
これにより、図８に示すように、第１系統リモコン３０および第２系統リモコン６０は、それぞれ自己の冷媒系統と機種コードと冷媒種の対応関係を把握することが可能になる。
【００６３】
（３）冷媒漏洩時の処理フローチャート
図９に、冷媒漏洩時の処理フローチャートを示す。
【００６４】
冷媒漏洩時の処理は、ステップＳ１１において、以下に述べるように冷媒の漏洩についての情報を第１系統リモコン３０および／または第２系統リモコン６０が受信することによって開始される。
【００６５】
（３−１）冷媒系統Ａでの冷媒漏洩
以下では、まず、冷媒系統Ａにおいて冷媒の漏洩が生じた場合を例に挙げて説明する。
【００６６】
まず、冷媒系統Ａにおいて冷媒の漏洩が生じた場合には、冷媒系統Ａに対応して設けられている第１系統漏洩検知センサ１０ｄによって検知される。この第１系統漏洩検知センサ１０ｄによって冷媒の漏洩が検知されると、第１系統室外ＣＰＵ１０ａにおいて冷媒の漏洩が把握される。そして、第１系統室外ＣＰＵ１０ａは、第１系統通信部１０ｃおよび第１系統リモコン通信部３３を介して、第１系統リモコン３０に冷媒の漏洩が生じた旨の情報を受信させる（ステップＳ１１）。
【００６７】
次に、ステップＳ１２では、第１系統リモコン３０において、冷媒の漏洩が検知された旨の情報を受信した場合に、自己の冷媒系統の冷媒種を確認する処理が行われる。具体的には、第１系統リモコン３０の第１系統リモコンＣＰＵ３１が、第１系統リモコンメモリ３２において格納されている冷媒種の情報を確認する。ここで、本実施形態では、冷媒系統Ａの冷媒種はR32であるため、ステップＳ１３に移行する。
【００６８】
ステップＳ１３では、R32の冷媒種の確認をユーザに対して問い合わせるために、第１系統リモコンＣＰＵ３１は、予め第１系統リモコンメモリ３２に格納されているR32冷媒が漏洩した際に表示させる冷媒種問合せ画面データに基づいた所定の表示を、第１系統リモコン表示部３４において表示させる。本実施形態では、図１０に示すように、冷媒種をユーザに問い合わせる表示を行う。具体的には、使用されている冷媒がR32である旨のユーザの判断を受け付けるための「はい」の表示と、使用されている冷媒がR32ではない旨のユーザの判断を受け付ける「いいえ」の表示が併せて表示される。ここでは、冷媒種を把握していないユーザのために、取扱説明書の参照を促す記載も表示される。
【００６９】
ステップＳ１４では、第１系統リモコンＣＰＵ３１が、ユーザからの操作ボタン３５を介した確認入力の受付処理を行う。具体的には、操作ボタン３５がユーザによって操作されることで、「はい」の入力を受け付けて、ステップＳ１６に移行する。
【００７０】
他方、仮に、ユーザが冷媒種を把握し間違えることによって、「いいえ」の入力を受け付けた場合には、ステップＳ１５において第１系統リモコンＣＰＵ３１は、当該入力を無視し、「はい」の入力を受けるまでステップＳ１４を繰り返す。
【００７１】
ステップＳ１６では、R32が漏洩している場合にユーザに所定の作業を促すために、第１系統リモコンＣＰＵ３１は、予め第１系統リモコンメモリ３２に格納されているR32冷媒が漏洩した際に所定の作業をユーザに促す表示である画面データに基づいた所定の表示を、第１系統リモコン表示部３４において表示させる。本実施形態では、図１１に示すように、部屋の窓を開けて換気を行うことをユーザに促す記載を表示すると共に、空気調和装置の販売店および製造元のコンタクトセンターの連絡先（電話番号等）を表示させる。
【００７２】
（３−２）冷媒系統Ｂでの冷媒漏洩
以下では、冷媒系統Ｂにおいて冷媒の漏洩が生じた場合を例に挙げて説明する。
【００７３】
まず、冷媒系統Ｂにおいて冷媒の漏洩が生じた場合には、冷媒系統Ｂに対応して設けられている第２系統漏洩検知センサ４０ｄによって検知される。この第２系統漏洩検知センサ４０ｄによって冷媒の漏洩が検知されると、第２系統室外ＣＰＵ４０ａにおいて冷媒の漏洩が把握される。そして、第２系統室外ＣＰＵ４０ａは、第２系統通信部４０ｃおよび第２系統リモコン通信部６３を介して、第２系統リモコン６０に冷媒の漏洩が生じた旨の情報を受信させる（ステップＳ１１）。
【００７４】
次に、ステップＳ１２では、第２系統リモコン６０において、冷媒の漏洩が検知された旨の情報を受信した場合に、自己の冷媒系統の冷媒種を確認する処理が行われる。具体的には、第２系統リモコン６０の第２系統リモコンＣＰＵ６１が、第２系統リモコンメモリ６２において格納されている冷媒種の情報を確認する。ここで、本実施形態では、冷媒系統Ｂの冷媒種はR410Aであるため、ステップＳ１７に移行する。
【００７５】
ステップＳ１７では、R410Aが漏洩している場合にユーザに所定の情報を知らせるために、第２系統リモコンＣＰＵ６１は、予め第２系統リモコンメモリ６２に格納されているR410A冷媒が漏洩した際に表示させる画面データに基づいた所定の表示を、第２系統リモコン表示部６４において表示させる。本実施形態では、図１２に示すように、空気調和装置の販売店および製造元のコンタクトセンターの連絡先（電話番号等）を表示させる。
【００７６】
（４）特徴
上記実施形態の第１系統リモコン３０および第２系統リモコン６０では、対応する冷媒系統において冷媒の漏洩が生じた場合に、冷媒の種類によって表示態様が異なるように構成されている。しかも、冷媒種がR32であった場合には、確認のための冷媒種の問合せをユーザに対して行っている。これにより、ユーザにR32冷媒が用いられていることを強く意識させることが可能になっている。そして、冷媒種がR32であった場合には、窓を開けて換気を促すことができるため、電話等によってサービスエンジニアが現地に駆け付ける前の段階で迅速な漏洩対応処置を行うことが可能になっている。
【００７７】
また、冷媒種がR32であることで確認の問合せを行う場合において、ユーザからの入力が誤っていた場合には、当該入力を無視することとしており、R32であることを入力しなければ処理が先に進まないようにしている。これにより、R32冷媒が用いられていることをユーザにより強く認識させることが可能になっている。
【００７８】
（５）他の実施形態
上記実施形態では、本発明の実施形態の一例を説明したが、上記実施形態はなんら本願発明を限定する趣旨ではなく、上記実施形態には限られない。本願発明は、その趣旨を逸脱しない範囲で適宜変更した態様についても当然に含まれる。
【００７９】
（５−１）他の実施形態Ａ
上記実施形態では、ステップＳ１３では図１０のように冷媒種の問合せのみを表示する場合を例に挙げて説明した。
【００８０】
しかし、本発明はこれに限られるものではなく、例えば、ステップＳ１３において冷媒種の問合せを表示するだけでなく、この時点から、販売店や製造元のコンタクトセンターの連絡先の情報を併せて表示するようにしてもよい。
【００８１】
（５−２）他の実施形態Ｂ
上記実施形態では、第１系統リモコン３０および第２系統リモコン６０が、接続されている対象の冷媒系統において用いられている室外ユニットの機種コードを把握することで冷媒種を把握する場合について例に挙げて説明した。
【００８２】
しかし、本発明はこれに限られるものではなく、例えば、第１系統リモコン３０および第２系統リモコン６０が、第１系統リモコンメモリ３２や第２系統リモコンメモリ６２において予め自己が対応する冷媒系統に用いられている冷媒種を記憶しておく等して予め把握できるように構成されていてもよい。
【００８３】
（５−３）他の実施形態Ｃ
上記実施形態では、第１系統リモコンメモリ３２および第２系統リモコンメモリ６２において機種コードと対応付けられた冷媒種を示す情報が予め格納させておくことで、室外ユニットの機種コードを把握して冷媒種を把握できる場合を例に挙げて説明した。
【００８４】
しかし、本発明はこれに限られるものではなく、例えば、第１系統リモコン３０および第２系統リモコン６０において機種コードと対応付けられた冷媒種を示す情報では対応しきれない機種コードの室外ユニットが接続されてもよい。
【００８５】
例えば、第１系統リモコン３０や第２系統リモコン６０が製造された時点よりも将来に開発された新規な機種コードの室外ユニットについては、機種コードと対応付けられた冷媒種を示す情報を格納していたとしても、当該機種コードに対応した冷媒種を把握することはできない。
【００８６】
その場合において、当該新規な室外ユニットにおいてR32冷媒が採用されていた場合であっても、上記実施形態のステップＳ１３のようにR32の確認問合せにおいてユーザから「はい」の受付がなされた場合には、当初からR32冷媒の採用が把握されている冷媒系統と同様に、窓を開けて換気させることをユーザに促すことが可能になる。
【００８７】
（５−４）他の実施形態Ｄ
上記実施形態では、冷媒系統毎に設けられた漏洩検知センサによって冷媒の漏洩が生じていることを把握する場合を例に挙げて説明した。
【００８８】
しかし、本発明はこれに限られるものではなく、例えば、漏洩検知センサを用いるのではなく、冷媒回路において圧縮機の吸入圧力が所定値よりも低い値になっている等の状況によって冷媒の漏洩を把握するようにしてもよい。
【００８９】
（５−５）他の実施形態Ｅ
上記実施形態では、第１系統室外ＣＰＵ１０ａや第２系統室外ＣＰＵ４０ａが冷媒の漏洩が生じた情報を第１系統リモコン３０や第２系統リモコン６０に知らせる場合を例に挙げて説明した。
【００９０】
しかし、本発明はこれに限られるものではなく、例えば、冷媒の漏洩が生じたことを各リモコンに知らせるだけでなく、第１系統室外ＣＰＵ１０ａや第２系統室外ＣＰＵ４０ａは、自己の冷媒系統において冷媒を回収する回収運転を行うようにしてもよい。
【００９１】
例えば、冷媒回収運転について、冷媒系統Ａを例に挙げて説明する。
【００９２】
冷媒の漏洩が検知されると、冷媒回路１０ｘを冷房運転が可能な状態にして（冷房運転時の漏洩であれば四路切換弁１２の接続状態はそのままにし、暖房運転時の漏洩であれば四路切換弁１２の接続状態を冷房運転用に切り換える）、室外膨張弁１５を全閉にして圧縮機１１および室外ファン１４を駆動させる。このようにポンプダウンを行うことによって、室外膨張弁１５よりも上流側において液状態の冷媒を集めることが可能になる。これにより、例えば、室内ユニット側で漏洩が生じていた場合には、当該漏洩箇所からの漏洩を抑制させることが可能になる。
【００９３】
また、このように冷媒回収運転を行っている間は、室外ファン１４や圧縮機１１が駆動し続けており、漏洩時においても運転が係属されているかのように感じるユーザに不安感を与えるおそれもある。したがって、このように冷媒回収運転を行っている間は、第１系統リモコン表示部３４や第２系統リモコン表示部６４において「冷媒回収運転中」である旨を表示するようにしてもよい。
【００９４】
（５−６）他の実施形態Ｆ
上記実施形態では、第１系統室外ユニット１０に第１系統漏洩検知センサ１０ｄが設けられ、第２系統室外ユニット４０に第２系統漏洩検知センサ４０ｄが設けられている場合を例に挙げて説明した。
【００９５】
しかし、本発明はこれに限られるものではなく、例えば、冷媒系統Ａにおける冷媒の漏洩が生じたことを検知する第１系統室内漏洩検知センサが第１系統室内ユニット２０に第１系統漏洩検知センサ１０ｄの代わりにもしくは第１系統漏洩検知センサ１０ｄと共にさらに設けられていてもよい。この場合には、例えば、第１系統室内漏洩検知センサは、第１系統第１室内ユニット２１、第１系統第２室内ユニット２２、第１系統第３室内ユニット２３、および、第１系統第４室内ユニット２４のそれぞれに設けられていてもよい。また、これと同様に、冷媒系統Ｂにおける冷媒の漏洩が生じたことを検知する第２系統室内漏洩検知センサが第２系統室内ユニット５０に第２系統漏洩検知センサ４０ｄの代わりにもしくは第２系統漏洩検知センサ４０ｄと共にさらに設けられていてもよい。この場合には、例えば、第２系統室内漏洩検知センサは、第２系統第１室内ユニット５１、および、第２系統第２室内ユニット５２のそれぞれに設けられていてもよい。
【００９６】
（５−７）他の実施形態Ｇ
上記実施形態では、冷媒種がR32かR410Aである場合を例に挙げて説明した。
【００９７】
しかし、本発明はこれに限られるものではなく、例えば、R152a、R161等のHFC系冷媒や、R1234yf、R1234ze、R1243zf等の炭素の二重結合を持つフッ化炭素系冷媒、R717（アンモニア）、R290（プロパン）、およびこれらの混合物またはこれらのR32との混合物としての冷媒が漏洩した場合にも、上記R32冷媒が漏洩した場合と同様に取り扱うようにしてもよい。
【産業上の利用可能性】
【００９８】
上述したコントローラは、冷媒の種類に応じた異常の対処をユーザに促し、用いられている冷媒の種類をユーザに意識させるための空気調和装置のコントローラとして特に有用である。
【符号の説明】
【００９９】
３０  第１系統リモコン（コントローラ）
３１  第１系統リモコンＣＰＵ（表示制御部）
３２  第１系統リモコンメモリ（冷媒種記憶部）
３３  第１系統リモコン通信部（異常受信部、冷媒種受信部）
３４  第１系統リモコン表示部（表示部）
３５  操作ボタン（受付部）
６０  第２系統リモコン（コントローラ）
６１  第２系統リモコンＣＰＵ（表示制御部）
６２  第２系統リモコンメモリ（冷媒種記憶部）
６３  第２系統リモコン通信部（異常受信部、冷媒種受信部）
６４  第２系統リモコン表示部（表示部）
６５  操作ボタン（受付部）
１００  空調システム
Ａ  第１冷媒系統
Ｂ  第２冷媒系統
【先行技術文献】
【特許文献】
【０１００】
【特許文献１】特開２００５−２３３５３８号公報
【図１】
2015197279.tif 000003
【図２】
2015197279.tif 000004
【図３】
2015197279.tif 000005
【図４】
2015197279.tif 000006
【図５】
2015197279.tif 000007
【図６】
2015197279.tif 000008
【図７】
2015197279.tif 000009
【図８】
2015197279.tif 000010
【図９】
2015197279.tif 000011
【図１０】
2015197279.tif 000012
【図１１】
2015197279.tif 000013
【図１２】
2015197279.tif 000014